(57)【要約】【課題】  外部との電気的な接続箇所を少なくする。【解決手段】  上段のチップセレクト用コンタクト１２０Ａは、接点金具１３０を介してプリント基板１２と電気的に接続されているが、他の上段のコンタクト１２０は、接続金具１３２と下段のコンタクト１１０とを介して、プリント基板１２と電気的に接続されている。よって、メモリーカード用コネクタ１００とプリント基板１２との電気的な接続箇所の数は、［下段のコンタクト１１０の数＋１（上段のチップセレクト用コンタクト１２０Ａ）］個である。つまり、チップセレクト用コンタクト１２０Ａを除き、上段のコンタクト１２０と下段のコンタクト１１０とを、メモリーカード用コネクタ１００内で電気的に接続することで、メモリーカード用コネクタ１００とプリント基板１２との電気的な接続箇所が少なくなっている。したがって、二枚のメモリーカード９６，９８が挿入可能な構成であっても、プリント基板１２の配線パターンを殆ど増やす必要がないので、プリント基板１２が大型化しない。【選択図】        図３
2007026902.tif 000002
【特許請求の範囲】
【請求項１】
複数のメモリーカードが着脱自在に挿入されるメモリーカード用コネクタであって、
挿入された前記メモリーカードと電気的に接続する複数のカード接点部と、
前記カード接点部と電気的に繋がり、外部と電気的に接続される外部接点部と、
を有し、
前記外部接点部の数を前記カード接点部の数より少なくするため、
挿入された前記メモリーカードを識別する識別用のカード接点部を除き、
一のメモリーカードと電気的に接続する複数のカード接点部のうち、少なくとも一つ以上を、
他のメモリーカードと電気的に接続するカード接点部に、接続したことを特徴とするメモリーカード用コネクタ。
【請求項２】
複数のメモリーカードが上下に並んで着脱自在に挿入され、
上方の前記カード接点部は、最も近い下方の前記カード接点部に接続することを特徴とする請求項１に記載のメモリーカード用コネクタ。
【請求項３】
同一種類のメモリーカードが２枚以上挿入されることを特徴とする請求項１、又は請求項２に記載のメモリーカード用コネクタ。
【請求項４】
前記メモリーカードを識別する識別用のカード接点部を除き、
前記同一種類のメモリーカードのうち、一のメモリーカードと電気的に接続するカード接点部と、同一種類の他のメモリーカードと電気的に接続するカード接点部と、を全て接続したことを特徴とする請求項３に記載のメモリーカード用コネクタ。
【請求項５】
請求項１から請求項４のいずれか１項に記載のメモリーカード用コネクタを備えることを特徴とする撮像装置。
【発明の詳細な説明】
【技術分野】
【０００１】
本発明は、複数のメモリーカードが着脱自在に挿入されるメモリーカード用コネクタ、及び、このメモリーカード用コネクタを備える撮像装置に関する。
【背景技術】
【０００２】
複数のメモリーカードが挿入可能な情報機器において、プリント基板上に複数のメモリーカード用コネクタを並べて配置すると、プリント基板上のメモリーカード用コネクタが占める占有面積が複数倍（メモリーカードの枚数倍）になる。このため、プリント基板が大型化し、また、情報機器全体も大型化する。よって、複数のメモリーカードを上下に複数段挿入可能な構成とし、プリント基板上のメモリーカード用コネクタが占める占有面積を減少させたメモリーカード用コネクタがある。
【０００３】
このような、メモリーカードが上下２段に挿入可能なメモリーカード用コネクタにおいて、メモリーカードに接触するコンタクトを容易にプリント基板に接続できる構成が提案されている。
【０００４】
例えば、上段に挿入されるメモリーカードに接触するコンタクトを幅方向両側に突出させると共に、プリント基板のパターンに接続可能に配置する構成や、あるいは、上段のコンタクトを、下段のコンタクトが突出される側に突出させ、上段のコンタクトと下段のコンタクトとを略千鳥に配置すると共に、プリント基板の配線パターンに接続可能に配置する構成が提案されている。（例えば、特許文献１参照）。
【特許文献１】特開２００１−３５７９１７号公報
【発明の開示】
【発明が解決しようとする課題】
【０００５】
しかしながら、特開２００１−３５７９１７号公報に記載の構成は、上段のコンタクトと下段のコンタクトとを、それぞれプリント基板に接続しているので、メモリーカード用コネクタとプリント基板との電気的な接続箇所は従来と同じである。よって、プリント基板の配線パターンは減少していない。つまり、プリント基板の大きさは、上下二段に重ねることによるメモリーカード用コネクタが占める占有面積の減少分以外は、従来と略同等である。また、上段コンタクトと下段コンタクトとを略千鳥に配置する構成は、プリント基板の配線ピッチが狭くなるので、プリント基板の製造コストが高くなる。
【０００６】
本発明は、上記問題を解決すべく成されたもので、外部との電気的な接続箇所を少なくしたメモリーカード用コネクタ、及び、このメモリーカード用コネクタを備える撮像装置を提供することを目的とする。
【課題を解決するための手段】
【０００７】
上記目的を達成するために本発明のメモリーカード用コネクタは、複数のメモリーカードが着脱自在に挿入されるメモリーカード用コネクタであって、挿入された前記メモリーカードと電気的に接続する複数のカード接点部と、前記カード接点部と電気的に繋がり、外部と電気的に接続される外部接点部と、を有し、前記外部接点部の数を前記カード接点部の数より少なくするため、挿入された前記メモリーカードを識別する識別用のカード接点部を除き、一のメモリーカードと電気的に接続する複数のカード接点部のうち、少なくとも一つ以上を、他のメモリーカードと電気的に接続するカード接点部に、接続したことを特徴としている。
【０００８】
メモリーカード用コネクタは、メモリーカードを識別する識別用のカード接点部を除き、一のメモリーカードと電気的に接続する複数のカード接点部のうち、少なくとも一つ以上を、一以外の他のメモリーカードと電気的に接続するカード接点部に接続し、外部接点部の数をカード接点部の数より少なくしている。
【０００９】
よって、例えば、メモリーカード用コネクタの外部接点部が電気的に接続するプリント基板の配線パターンが、挿入可能なメモリーカードの数に応じて増えない。このため、プリント基板が大型化しない。また、例えば、プリント基板の配線ピッチも狭くならないので、プリント基板の製造コストも高くならない。
【００１０】
更に、好適には、複数のメモリーカードが上下に並んで着脱自在に挿入され、上方の前記カード接点部は、最も近い下方の前記カード接点部に接続しても良い。
【００１１】
このように、上方のカード接点部を、最も近い下方のカード接点部に接続すると、メモリーカード用コネクタ内での配線が容易であり簡単である。
【００１２】
更に好適には、同一種類のメモリーカードが２枚以上挿入されても良い。
【００１３】
このように、同一種類のメモリーカードが２枚以上挿入される構成とすると、例えば、電気的に接続するカード接点部など、共通形状の部品が多くなる。よって、例えば、金型成形費などが低コストとなる。また、同一種類のメモリーカードのカード接点部同士の接続は、接続されたカード接点部を同じ制御信号用とすることができる。このため、メモリーカードへの外部からのアクセスの制御が容易となる。
【００１４】
更に好適には、前記メモリーカードを識別する識別用のカード接点部を除き、前記同一種類のメモリーカードのうち、一のメモリーカードと電気的に接続するカード接点部と、同一種類の他のメモリーカードと電気的に接続するカード接点部と、を全て接続しても良い。
【００１５】
このように、メモリーカードを識別する信号用のカード接点部を除き、同一種類のカード接点部同士を全て接続することで、外部接点部の数をより少なくできる。また、メモリーカードへの外部からのアクセスの制御もより容易となる。
【００１６】
また、本発明の撮像装置は、請求項１から請求項４のいずれか１項に記載のメモリーカード用コネクタを備えることを特徴としている。
【００１７】
メモリーカード用コネクタの外部接点部の数が少ないので、例えば、挿入可能なメモリーカードの数に応じて、メモリーカード用コネクタが接続するプリント基板の配線パターが増えない。よって、プリント基板が大型化しない。このため、複数のメモリーカードが挿入可能あっても、撮像装置が大型化しない。
【発明の効果】
【００１８】
以上説明したように本発明によれば、メモリーカードを識別する識別用のカード接点部を除き、一のメモリーカードと電気的に接続するカード接点部のうち、少なくとも一つ以上を、他のメモリーカードと電気的に接続するカード接点部に接続したので、外部と電気的に接続する外部接点部の数が少なくなっている。
【発明を実施するための最良の形態】
【００１９】
まず、本発明の第一の実施形態のメモリーカード用コネクタを備えるデジタルカメラについて説明する。
【００２０】
図１と図２とに示すように、デジタルカメラ１０は、内部にメモリーカード用コネクタ１００を備えている。メモリーカード用コネクタ１００のハウジング１０６の前面には、メモリーカード９６（図２参照）が着脱可能に挿入される挿入口１０２と、メモリーカード９８（図２参照）が着脱可能に挿入される挿入口１０４と、が上下二段に形成されている。つまり、メモリーカード用コネクタ１００は、上下二段に異なる２つの種類（規格）のメモリーカード９６とメモリーカード９８とが着脱可能に挿入される構成となっている。なお、挿入口１０２，１０４は、デジタルカメラ１０の側面に開口する構成となる。
【００２１】
メモリーカード９６，９８は、フラッシュメモリなどの半導体メモリやハードディスクなどの磁気ディスク等をカード型にパッケージ化した記録媒体であり、デジタルカメラ１０では撮影した画像の画像データを記憶する。代表的なメモリーカードの種類（規格）には、CompactFlash（登録商標）、SmartMedia（登録商標）、SDメモリーカード（登録商標）、メモリースティック（登録商標）、xD-Picture Card（登録商標）、マイクロドライブ（登録商標）などがある。
【００２２】
図３に示すように、メモリーカード用コネクタ１００は、ハウジング１０６から下方に露出している下段のコンタクト１１０と、上段の左端のコンタクト１２０Ａと接続している接点金具１３０とが、プリント基板１２に半田付けされている。（コンタクト１１０，１２０Ａ，接点金具１３０についての詳細は後述する）。
【００２３】
図４に示すように、下段のコンタクト１１０は、金属板をプレス加工することによって製作される。また、金属板の材質としては、コンタクト１１０がバネ性と導電性とを有する必要があるので、黄銅，ベリリウム銅，リン青銅などが適している。
【００２４】
コンタクト１１０は、メモリーカード９８の接点面８０（図５参照）と接触する接点部１１４Ａが形成された接点板部１１４と、メモリーカード用コネクタ１００のハウジング１０６（図３参照）に固定される固定部１１１と、で構成されている。
【００２５】
コンタクト１１０の接点板部１１４は略水平に延び、接点板部１１４の自由端側の先端部分には上方に凸となった接点部１１４Ａが形成されている。また、コンタクト１１０の固定部１１１の下部と上部とには、略水平に曲げられた接続板部１１２Ａ，１１２Ｂが形成されている。
【００２６】
図５に示すように、コンタクト１１０は、メモリーカード用コネクタ１００のハウジング１０６の後部（挿入口１０２，１０４（図１、図３（Ｂ）参照）と反対側）に、固定部１１１が固定されている。なお、前述した接点板部１１４の先端の接点部１１４Ａは、挿入口１０２，１０４（図１、図３（Ｂ）参照）側に向いている。
【００２７】
また、コンタクト１１０は、メモリーカード９８の挿入方向Ｓと直交する方向に並んで配置されている。そして、メモリーカード９８が挿入されるとコンタクト１１０の接点板部１１４の自由端側が撓み、メモリーカード９８の接点面８０と接点板部１１４の先端の接点部１１４Ａとが接触し、メモリーカード９８とコンタクト１１０とが電気的に接続される。
【００２８】
なお、上段のコンタクト１２０も、全体の大きさは異なるが、形状は下段のコンタクト１１０と略相似形となっている。また、同様に、メモリーカード用コネクタ１００のハウジング１０６の後部にメモリーカード９６の挿入方向Ｓと直交する方向に並んで配置され、挿入されたメモリーカード９６の接点面（図示略）とコンタクト１２０の接点板部１２０の接点部１２４Ａが接触し、メモリーカード９６とコンタクト１２０とが電気的に接続される。
【００２９】
図３（Ａ）は、メモリーカード用コネクタ１００を後方から見た模式図である。また、図３（Ｂ）は図３（Ａ）のＢ−Ｂ断面の模式図である。なお、図３においては、判り易くするため、上段のコンタクト１２０と下段のコンタクト１１０とは略同じ大きさで図示している。
【００３０】
前述したように、上段と下段には異なる種類（規格）のメモリーカード９６，９８が挿入される。このため、メモリーカード９６とメモリーカード９８とでは、全体の大きさと接触面８０の数が異なる。よって、図３（Ａ）に示すように、上段のコンタクト１２０の数より、下段のコンタクト１１０の数の方が多い。また、上段のコンタクト１２０と下段のコンタクト１１０とのピッチ（コンタクト間の間隔）は異なっている。（上段の方が、ピッチが広い）。更に、図３（Ｂ）に示すように、上段のコンタクト１２０の方が下段のコンタクト１１０より挿入口１０２、１０４側（図１参照）に位置している。
【００３１】
図３（Ａ）に示すように、下段の各コンタクト１１０の固定部１１１の下部の接続板部１１２Ａは、ハウジング１０６から下方に露出し、プリント基板１２に半田付けされている。
【００３２】
また、図３（Ａ）における左端に位置するコンタクト１１０Ａ（下段），１２０Ａ（上段）は、挿入されたメモリーカードが、メモリーカード９６及びメモリーカード９８のいずれであるかを識別するための信号（チップセレクト信号）用となっている。（以降、チップセレクト用コンタクト１１０Ａ，１２０Ａと記す）。そして、上段のチップセレクト用コンタクト１２０Ａの固定部１２１の接続板部１２２Ａは、接点金具１３０の一端側に接続され、接点金具１３０の他端側はハウジング１０６から下方に露出し、プリント基板１２に半田付けされている。
【００３３】
更に、上段のコンタクト１２０は、上述したチップセレクト用コンタクト１２０Ａを除き、固定部１２１の接続板部１２２Ａが、左から同じ順番となる下段のコンタクト１１０の固定部１１１の上部の接続板部１１２Ｂと、接続金具１３２で電気的に接続されている。つまり、上段のコンタクト１２０は、チップセレクト用コンタクト１２０Ａを除き、接続金具１３２と下段のコンタクト１１０とを介して、プリント基板１２と電気的に接続されている。
【００３４】
なお、接点金具１３０，接続金具１３２は、コンタクト１１０，１２０と同じ材質の金属板から成形されている。また、各接続金具１３２は、上段のコンタクト１２０と下段のコンタクト１１０とのピッチ（コンタクト間の間隔）が異なっているので、形状が各々異なっている。（図３（Ａ）参照）。
【００３５】
なお、上段と下段には異なる種類（規格）のメモリーカード９６，９８が挿入されるので、接続金具１３２で接続された上段のコンタクト１２０と下段のコンタクト１１０とは、必ずしも同じ制御信号やデータを送受するとは限らない。よって、接続金具１３２で接続された上段のコンタクト１２０と下段のコンタクト１１０とで、異なる制御信号やデータを送受する必要がある場合は、デジタルカメラ１０の制御部（図示略）の制御によって対応している。
【００３６】
つぎに、本実施形態の作用について説明する。
【００３７】
図３（Ａ）に示すように、上段のチップセレクト用コンタクト１２０Ａは、接点金具１３０を介してプリント基板１２と電気的に接続されているが、他の上段のコンタクト１２０は、接続金具１３２と下段のコンタクト１１０とを介して、プリント基板１２と電気的に接続されている。
【００３８】
よって、メモリーカード用コネクタ１００とプリント基板１２との電気的な接続箇所の数は、［下段のコンタクト１１０の数＋１（上段のチップセレクト用コンタクト１２０Ａ）］個である。つまり、チップセレクト用コンタクト１２０Ａを除き、上段のコンタクト１２０と下段のコンタクト１１０とを、メモリーカード用コネクタ１００内で電気的に接続することで、メモリーカード用コネクタ１００とプリント基板１２との電気的な接続箇所が少なくなっている。したがって、二枚のメモリーカード９６，９８が挿入可能な構成であっても、プリント基板１２の配線パターンを殆ど増やす必要がないので、プリント基板１２が大型化していない。このため、デジタルカメラ１０も大型化していない。
【００３９】
また、プリント基板１２の配線ピッチも狭くならないので、プリント基板１２の製造コストも高くなっていない。
【００４０】
更に、上段のコンタクト１２０と下段のコンタクト１１０とは、左から同じ順番で接続している。すなわち、上下の最も近いコンタクト同士で接続している。よって、メモリーカード用コネクタ１００内での配線は複雑化していない。
【００４１】
なお、上記実施形態では、上段のコンタクト１２０は、チップセレクト用コンタクト１２０Ａを除いた他の全てのコンタクト１２０が、下段のコンタクト１１０と接続金具１３２で接続されていたが、これに限定されない。上段コンタクト１２０のうち一つ以上が、下段のコンタクト１１０と接続金具１３２で接続され、その他は接点金具（図示略、例えば、チップセレクト用コンタクト１２０Ａと接続している接点金具１３０のようなもの）を介して、プリント基板１２と電気的に接続されても良い。
【００４２】
つぎに、本発明の第二の実施形態のメモリーカード用コネクタを備えるデジタルカメラについて説明する。なお、第一の実施形態と同一の部材には同一の符号を付し、重複した説明は省略する。
【００４３】
図６と図７とに示すように、デジタルカメラ２０は、内部にメモリーカード用コネクタ２００を備えている。メモリーカード用コネクタ２００のハウジング２０６の前面には、メモリーカード９８（図７参照）が着脱可能に挿入される挿入口２０２，２０４が上下二段に形成されている。つまり、メモリーカード用コネクタ２００は、上下二段共に同じ種類（規格）のメモリーカード９８が着脱可能に挿入される構成となっている。なお、挿入口２０２，２０４は、デジタルカメラ２０の側面に開口する構成となる。
【００４４】
また、上下二段共に同じ種類（規格）のメモリーカード９８が着脱可能に挿入されるので、上段及び下段ともに、図４に示すコンタクト１１０が用いられる。
【００４５】
さて、図８（Ａ）は、メモリーカード用コネクタ２００を後方から見た模式図である。また、図８（Ｂ）は図８（Ａ）のＢ−Ｂ断面の模式図である。
【００４６】
前述したように、上段と下段には同じ種類（規格）のメモリーカード９８が挿入されるので、図８（Ａ）に示すように、上段と下段のコンタクト１１０の数は同じであり、また、コンタクト１１０間のピッチ（コンタクト間の間隔）も同じである。更に、図８（Ｂ）に示すように、上段と下段のコンタクト１１０の位置も同じである。
【００４７】
また、下段の各コンタクト１１０の固定部１１１の接続板部１１２Ａは、ハウジング２０６から下方に露出し、プリント基板２２に半田付けされている。
【００４８】
上段と下段のいずれのコンタクト１１０も左端は、チップセレクト用コンタクト１１０Ａとなっている。そして、上段のチップセレクト用コンタクト１１０Ａは、固定部１１１の接続板部１１２Ａが接点金具２３０の一端側と接続し、接点金具２３０の他端側は、ハウジング２０６から下方に露出し、プリント基板１２に半田付けされている。
【００４９】
また、上段のコンタクト１１０は、上述したチップセレクト用コンタクト１１０Ａを除き、左から同じ順番の下段のコンタクト１１０と全て接続金具２３２で接続されている。つまり、上段のコンタクト１１０は、チップセレクト用コンタクト１１０Ａを除き、接続金具２３２と下段のコンタクト１１０とを介して、プリント基板２２と電気的に接続されている。
【００５０】
なお、接点金具２３０，接続金具２３２はコンタクト１１０と同じ材質の金属板から成形されている。
【００５１】
つぎに、本実施形態の作用について説明する。
【００５２】
第一の実施形態と同様に、チップセレクト用のコンタクト１１０Ａを除き、上段と下段のコンタクト１１０をメモリーカード用コネクタ２００内で接続することで、メモリーカード用コネクタ２００とプリント基板２２との電気的な接続箇所が少なくなっている。よって、プリント基板２２、及びデジタルカメラ２０が大型化していない。
【００５３】
更に、上下二段共に同じ種類（規格）のメモリーカード９６が着脱可能に挿入されるので、上段及び下段ともに、図４に示すコンタクト１１０が用いられている。また、上段と下段のコンタクト１１０のピッチ（コンタクト間の間隔）が同じであるので、上段と下段のコンタクト１１０を接続する接続金具２３２の形状も同じである。このように、コンタクト１１０、接続金具２３２ともに１種類のみで良いので、金型費用が低く抑えられている。つまり、製造コストが安い。
【００５４】
また、接続金具２３２で接続された上段と下段コンタクト１１０は、同じ制御信号やデータを送受する構成とできるので、メモリーカード９８にアクセスするための制御部（図示略）の制御が容易である。
【００５５】
なお、本発明は上記の実施形態に限定されない。
【００５６】
例えば、第一、第二の実施形態ともに、二枚のメモリーカードが上下２段に、メモリーカードの水平面が上下に重なるように挿入される構成となっていた。（図３、図８参照）。しかし、図９に示すように、プリント基板３２に対してメモリーカード９６，９８が縦に重なるように構成されたメモリーカード用コネクタ３００であっても良い。なお、図示は省略しているが、上段のコンタクトのうち一つ以上は、下段のコンタクトと電気的に接続され、下段のコンタクトを介してプリント基板３２と電気的に接続されている。
【００５７】
また、例えば、第一、第二の実施形態ともに二枚のメモリーカードが挿入可能であったが、３枚以上のメモリーカードが挿入可能な構成であっても良い。また、同じ種類（規格）のメモリーカード２枚以上と、異なる種類（規格）のメモリーカード１枚以上と、が挿入可能な構成であっても良い。
【００５８】
なお、３枚以上が挿入される構成の場合、各段のコンタクトを直列に全て接続する必要はない。例えば、上・中・下の３段構成の場合、上段と中段のコンタクト間のみを接続しても良いし、上段のコンタクトと接続した中段のコンタクトのうち、いくつかのみを下段のコンタクトと接続しても良い。要はメモリーカード用コネクタ内で異なる段のコンタクトを一組以上接続し、メモリーカード用コネクタとプリント基板との電気的な接続箇所が減少されていれば良い。
【００５９】
また、上記実施形態では、デジタルカメラ１０，２０に適用した例で説明したが、これに限定されない。カメラ機能を有する携帯電話など、各種撮像装置全般に本発明は適用できる。更に、撮像装置以外の、メモリーカード用コネクタを備える、例えば、コンピューターやＰＤＡ（Personal Digital Assistant、携帯情報端末）などの情報機器、メモリーカードリーダーなどの周辺機器、家電機器、ＡＶ機器、カーナビゲーションシステムなどの自動車機器等、複数のメモリーカードが着脱自在に挿入されるメモリーカード用コネクタを備える機器全般に本発明は適用できる。
【図面の簡単な説明】
【００６０】
【図１】本発明の第一の実施形態に係るメモリーカード用コネクタを備えるデジタルカメラを示す分解斜視図である。
【図２】本発明の第一の実施形態に係るメモリーカード用コネクタを備えるデジタルカメラを示す斜視図である。
【図３】（Ａ）は、本発明の第一の実施形態に係るメモリーカード用コネクタを後方から見た模式図であり、（Ｂ）は（Ａ）のＢ−Ｂ断面の模式図である。
【図４】（Ａ）はコンタクトの斜視図であり、（Ｂ）はコンタクトを側面から見た図であり、（Ｃ）はコンタクトを後方から見た図である。
【図５】メモリーカード用コネクタの内部の要部を模式的に示す斜視図である。
【図６】本発明の第二の実施形態に係るメモリーカード用コネクタを備えるデジタルカメラを示す分解斜視図である。
【図７】本発明の第二の実施形態に係るメモリーカード用コネクタを備えるデジタルカメラを示す斜視図である。
【図８】（Ａ）は、本発明の第二の実施形態に係るメモリーカード用コネクタを後方から見た模式図であり、（Ｂ）は（Ａ）のＢ−Ｂ断面の模式図である。
【図９】本発明の他の実施形態に係るメモリーカード用コネクタを示す図である。
【符号の説明】
【００６１】
１０      デジタルカメラ（撮像装置）
１２      プリント基板（外部）
２０      デジタルカメラ（撮像装置）
２２      プリント基板（外部）
３２      プリント基板（外部）
９６      メモリーカード
９８      メモリーカード
１００      メモリーカード用コネクタ
１１２Ａ    接続板部（外部接点部）
１１４      接点板部（カード接点部）
１２０Ａ    チップセレクト用コネクタ（識別用のカード接点部）
１２４      接点板部（カード接点部）
１３０      接点金具（外部接点部）
２００      メモリーカード用コネクタ
２３０      接点金具（外部接点部）
３００      メモリーカード用コネクタ
【図１】
2007026902.tif 000003
【図２】
2007026902.tif 000004
【図３】
2007026902.tif 000005
【図４】
2007026902.tif 000006
【図５】
2007026902.tif 000007
【図６】
2007026902.tif 000008
【図７】
2007026902.tif 000009
【図８】
2007026902.tif 000010
【図９】
2007026902.tif 000011